(57)【要約】【課題】スリップリングを介して高周波信号を、通信エラーの発生を抑制して伝送することができる信号伝送装置および信号伝送方法の提供にある。【解決手段】回転式表示装置１０では、スリップリング２００を介して固定部１００より回転部３００に伝送される信号の通信エラーをエラー検出部３３１が検出し、エラー検出の結果に基づいてエラー判定部１３２がスリップリング２００を介して信号伝送の劣化の度合いを判定し、劣化度合いに応じて、画像送信器１１０に備えられた、送信する信号の周波数特性を受信側においてエラーが検出され難くなるように変調する。【選択図】図６
2015104545.tif 000002
【特許請求の範囲】
【請求項１】
固定部と回転部との間に、摺動接点を介して信号を伝送するスリップリングを有する信号伝送装置であって、
前記固定部あるいは前記回転部の何れか一方に設けられた信号送信手段と、
前記固定部あるいは前記回転部の何れか他方に設けられ、前記信号送信手段より送信される信号を、前記スリップリングを介して受信する信号受信手段と、
前記固定部あるいは前記回転部の何れか前記信号受信手段と同じ側に設けられ、前記信号受信手段にて受信する信号のエラーを検出するエラー検出手段と、
前記固定部あるいは回転部の何れかに設けられ、前記エラー検出手段による検出結果に基づいて信号伝送の劣化の度合いを判定する劣化度合い判定手段と、
前記固定部あるいは回転部の何れか前記信号送信手段と同じ側に設けられ、前記劣化度合い判定手段の判定結果に応じて、前記信号送信手段から送信される信号の周波数特性を受信側においてエラーが検出され難くなるように変調する変調手段と、を備えることを特徴とする信号伝送装置。
【請求項２】
前記信号送信手段と前記信号受信手段との間に、前記スリップリングの前記摺動接点を含む伝送路として、画像信号を送信する伝送路および制御信号を送信する伝送路を少なくとも備え、
前記信号送信手段は、画像信号をシリアル化して送信する一方、制御信号に誤り検出符号を付して送信し、
前記信号受信手段は、受信したシリアル化された画像信号をパラレルに戻すことを特徴とする請求項１に記載の信号伝送装置。
【請求項３】
前記エラー検出手段は、前記信号受信手段にて受信された、誤り検出符号の付された前記制御信号のエラーを、付されている誤り検出符号を用いて検出することを特徴とする請求項２に記載の信号伝送装置。
【請求項４】
前記信号送信手段は、誤り検出符号を付した同一の制御データを制御信号として複数回送信し、
前記エラー検出手段は、複数回送信される同一の前記制御信号のエラーをそれぞれ検出し、
前記劣化度合い判定手段は、前記エラー検出手段によるエラー検出の検出結果に基づいて求まる前記同一の制御データを正常に受信できた割合より信号伝送の劣化の度合いを判定することを特徴とする請求項３に記載の信号伝送装置。
【請求項５】
請求項１〜４のいずれか１項に記載された信号伝送装置を搭載し、
前記信号伝送装置において、前記信号送信手段が前記固定部に設けられる一方、前記信号受信手段が前記回転部に設けられ、
かつ、前記回転部が表示部であり、前記回転部を前記固定部に対して回転駆動する回転駆動手段を備えることを特徴とする回転式表示装置。
【請求項６】
請求項５に記載の回転式表示装置を備えることを特徴とする遊技機。
【請求項７】
固定部あるいは回転部の何れか一方に設けられた信号送信手段から、前記固定部あるいは前記回転部の何れか他方に設けられた信号受信手段へ、摺動接点を介して信号を伝送するスリップリングを用いて信号を伝送する信号伝送方法であって、
前記信号受信手段にて受信する信号のエラーを検出するエラー検出ステップと、
前記エラー検出ステップによる検出結果に基づいて信号伝送の劣化の度合いを判定する劣化度合い判定ステップと、
劣化度合い判定ステップの判定結果に応じて、前記信号送信手段から送信される信号の周波数特性を、受信側においてエラーが検出され難くなるように変調する変調ステップと、を含むことを特徴とする信号伝送方法。
【発明の詳細な説明】
【技術分野】
【０００１】
本発明はスリップリングを介して信号を伝送する信号伝送装置、信号伝送方法、回転式表示装置および遊技機に関するものである。
【背景技術】
【０００２】
パチンコ機などに代表される遊技機では、変動する図柄等を表示する表示部が備えられている。例えば、始動口に遊技球が入賞することにより、表示部において図柄の変動表示が開始され、その後、所定時間経過後に停止した図柄が大当り図柄であった場合に、遊技者に多大な利益を与える大当り状態となる。そのため、表示部は、遊技者が注視し、遊技者の興味を引き付ける大切な演出装置である。
【０００３】
このような演出装置である表示部を、駆動装置にて回転させる回転式表示装置を搭載した遊技機も提案されている（例えば、特許文献１）。回転式表示装置では、表示部が回転軸を中心に回転自在に設けられ、回転軸を介して表示部に、電力および表示制御信号が供給される。回転軸には、表示部の回転動作により捩じれが生じないように、スリップリングからなるハーネスが接続される。スリップリングは、リング状導体とブラシ状接点による摺動接点を有し、回転部となる表示部と、回転しない固定部とを、電気的な接続をとりながら機械的に連結する部材である。
【先行技術文献】
【特許文献】
【０００４】
【特許文献１】特開２００６−２１２０９４号公報（２００６年８月１７日公開）
【発明の概要】
【発明が解決しようとする課題】
【０００５】
ところで、従来の回転式表示装置における表示部には、ＬＣＤ（液晶ディスプレイ）などが用いられているが、液晶パターン（セグメント）ごとの点灯／非点灯にて、０〜９までの数字を表すといった簡単なものであった。そのため、表示部が回転することで、遊技者の興趣を向上させ得るものの、興味を持たせ続けるような斬新な演出を行うには不十分であった。
【０００６】
そこで、本願出願人は、斬新な演出を可能とするために、フルカラー画像を表示できる高機能な表示部が回転する回転式表示装置の作製を試みることとした。
【０００７】
フルカラー対応の表示部を回転させる構成において、まず問題となるのは、スリップリングが大型化することである。フルカラー対応の表示部は、画像信号の送信に多線を要し、例えば、２４ｂｉｔ表示のＬＣＤでは、電源線、アース線、制御信号線などを加えると３０本程度必要となる。スリップリングにおいて、摺動接点は、信号の本数分必要となるため、信号線の本数が多くなると、必然的にスリップリングが大きくなってしまい、精度・耐久性・コストでデメリットが発生する。
【０００８】
このようなスリップリングの大型化を回避するために、本願出願人は、シリアル，パラレル相互変換を行うＳｅｒＤｅｓ回路を用いて複数の信号を２線で伝送する既存の技術を利用することとした。これによれば、画像信号の送信に用いる線を２本に削減することができ、信号線の総数が大幅に少なくなり、フルカラー対応としても、スリップリングの大型化を回避することができる。
【０００９】
しかしながら、このようにしてスリップリングの大型化を回避すると、今度は、表示部が、回転式表示装置を搭載した遊技機が寿命に到達するよりも前に、ちらつきや画像欠けなどの表示欠陥を引き起こす恐れがあることが判明した。表示欠陥の原因を調べたところ、摺動接点の摩耗によるものであった。信号線の本数を削減したことで伝送速度が高速となったため、従来では問題にならなかった程度の摺動接点の摩耗による接触抵抗の変化であっても、それによる伝送路のインピーダンス変化にて受信信号の波形が悪化し、通信エラーが発生する。
【００１０】
本発明は、上記課題に鑑みなされたもので、第１の目的は、スリップリングを介して高周波信号を、通信エラーの発生を抑制して伝送することができる信号伝送装置および信号伝送方法を提供することであり、第２の目的は、遊技者に興味を持たせ続けるような斬新な演出を行うことができる回転式表示装置および遊技機を提供することにある。
【課題を解決するための手段】
【００１１】
本発明の信号伝送装置は、上記課題を解決するために、固定部と回転部との間に、摺動接点を介して信号を伝送するスリップリングを有する信号伝送装置であって、前記固定部あるいは前記回転部の何れか一方に設けられた信号送信手段と、前記固定部あるいは前記回転部の何れか他方に設けられ、前記信号送信手段より送信される信号を、前記スリップリングを介して受信する信号受信手段と、前記固定部あるいは前記回転部の何れか前記信号受信手段と同じ側に設けられ、前記信号受信手段にて受信する信号のエラーを検出するエラー検出手段と、前記固定部あるいは回転部の何れかに設けられ、前記エラー検出手段による検出結果に基づいて信号伝送の劣化の度合いを判定する劣化度合い判定手段と、前記固定部あるいは回転部の何れか前記信号送信手段と同じ側に設けられ、前記劣化度合い判定手段の判定結果に応じて、前記信号送信手段から送信される信号の周波数特性を受信側においてエラーが検出され難くなるように変調する変調手段と、を備えることを特徴としている。
【００１２】
上記構成によれば、エラー検出手段が、信号送信手段より送信され、スリップリングを介して信号受信手段が受信した信号のエラーを検出し、劣化度合い判定手段が、エラー検出手段の検出結果に基づいて信号伝送の劣化度合いを判定する。そして、変調手段が、信号送信手段より送信される信号の周波数特性を、受信側においてエラーが検出され難くなるように変調する。
【００１３】
これにより、スリップリングの摺動接点が摩耗して接触抵抗が変化し、これによる伝送路のインピーダンスの変化にて信号受信手段で受けとる信号の波形が劣化しても、これを改善することができる。
【００１４】
それゆえ、スリップリングの摺動接点の摩耗による通信エラーの発生を抑制して、高周波信号を長く安定して伝送することが可能となる。
【００１５】
本発明の信号伝送装置は、さらに、前記信号送信手段と前記信号受信手段との間に、前記スリップリングの前記摺動接点を含む伝送路として、画像信号を送信する伝送路および制御信号を送信する伝送路を少なくとも備え、前記信号送信手段は、画像信号をシリアル化して送信する一方、制御信号に誤り検出符号を付して送信し、前記信号受信手段は、受信したシリアル化された画像信号をパラレルに戻す構成とすることもできる。
【００１６】
上記構成によれば、信号送信手段は、画像信号をシリアル化して送信し、信号受信手段が受信したシリアル化された画像信号をパラレルに戻して用いるので、画像信号を送信する伝送路の本数が少なくなり、スリップリングの大型化を回避できる。
【００１７】
そして、画像信号をシリアル化して送信する場合、伝送速度が高速化して高周波信号となるため、スリップリングの摺動接点の摩耗による伝送路のインピーダンスの変化にて、通信エラーが発生しやすくなるが、調整部にて送信される信号の周波数特性が調整されるので、通信エラーの発生も効果的に抑制することができる。
【００１８】
本発明の信号伝送装置は、さらに、前記エラー検出手段は、前記信号受信手段にて受信された、誤り検出符号の付された前記制御信号のエラーを、付されている誤り検出符号を用いて検出する構成とすることもできる。
【００１９】
上記構成によれば、信号送信手段は、シリアル化されて送信される画像信号ではなく、制御信号に誤り検出符号を付して、エラー検出手段は制御信号に基づいて、受信した信号のエラーを検出するので、シリアル化された画像信号に誤り検出符号を付加する構成よりも正常な電文が全て受信できているか早く判断させることができる、といった利点がある。
【００２０】
この場合、具体的には、前記信号送信手段は、誤り検出符号を付した同一の制御データを制御信号として複数回送信し、前記エラー検出手段は、複数回送信される同一の前記制御信号のエラーをそれぞれ検出し、前記劣化度合い判定手段は、前記エラー検出手段によるエラー検出の検出結果に基づいて求まる前記同一の制御データを正常に受信できた割合より信号伝送の劣化の度合いを判定する構成とすることができる。
【００２１】
本発明の回転式表示装置は、請求項１〜４のいずれか１項に記載された信号伝送装置を搭載し、前記信号伝送装置において、前記信号送信手段が前記固定部に設けられる一方、前記信号受信手段が前記回転部に設けられ、かつ、前記回転部が表示部であり、前記回転部を前記固定部に対して回転駆動する回転駆動手段を備えることを特徴としている。
【００２２】
既に説明したように、本発明の信号伝送装置では、表示部を回転可能とし、表示部に対してスリップリングを介して固定部より信号を伝送する構成とし場合に、スリップリングの摺動接点に摩耗が生じて伝送路のインピーダンスが変化しても、それによる通信エラーの発生を抑えることができる。
【００２３】
したがって、例えばフルカラー対応のＬＣＤを回転させる構成としても、ちらつきや画像欠けなどの表示欠陥を招来することなく、高品質の表示が可能となる。
【００２４】
それゆえ、遊技者に興味を持たせ続けるような斬新な演出を行うことができる回転式表示装置を提供することができる。
【００２５】
本発明は、本発明の信号伝送装置を搭載した回転式表示装置および遊技機も発明の範疇としている。
【００２６】
本発明の信号伝送方法は、上記課題に鑑みなされたもので、固定部あるいは回転部の何れか一方に設けられた信号送信手段から、前記固定部あるいは回転部の何れか他方に設けられた信号受信手段へ、摺動接点を介して信号を伝送するスリップリングを用いて信号を送信する信号伝送方法であって、前記信号受信手段にて受信する信号のエラーを検出するエラー検出ステップと、前記エラー検出ステップによる検出結果に基づいて信号伝送の劣化の度合いを判定する劣化度合い判定ステップと、劣化度合い判定ステップの判定結果に応じて、前記信号送信手段から送信される信号の周波数特性を、受信側においてエラーが検出され難くなるように変調する変調ステップと、を含むことを特徴としている。
【００２７】
既に説明した本発明の信号伝送装置と同様に、上記構成では、スリップリングの摺動接点の摩耗による通信エラーの発生を抑制して、高周波信号を長く安定して伝送することが可能となる。
【発明の効果】
【００２８】
本発明によれば、スリップリングの摺動接点が摩耗して接触抵抗が変化し、これによる伝送路のインピーダンスの変化にて信号受信手段で受けとる信号の波形が劣化しても、これを改善することができる。
【００２９】
それゆえ、スリップリングの摺動接点の摩耗による通信エラーの発生を抑制して、高周波信号を長く安定して伝送することが可能となるという効果を奏する。
【００３０】
そして、このようは信号伝送装置を用いることで、遊技者に興味を持たせ続けるような斬新な演出を行うことができる回転式表示装置および遊技機を提供することができるという効果を奏する。
【図面の簡単な説明】
【００３１】
【図１】本発明の実施形態に係る回転式表示装置を備えたパチンコ機の概略正面図である。
【図２】前記回転式表示装置の外観斜視図である。
【図３】（ａ）は、前記回転式表示装置の平面図であり、（ｂ）はその側面図、（ｃ）はその正面図である。
【図４】（ａ）は、前記回転式表示装置を表示画面側から見た分解斜視図であり、（ｂ）は、前記回転式表示装置を裏面側から見た分解斜視図である。
【図５】（ａ）は、前記回転式表示装置に搭載されているスリップリングの外観斜視図であり、（ｂ）はその要部断面図である。
【図６】前記回転式表示装置の電気的構成を示すブロック図である。
【図７】（ａ）〜（ｃ）は、プリエンファシス回路による周波数特性改善変調を模式的に示す説明図である。
【図８】前記パチンコ機の制御装置と、前記回転式表示装置における固定側制御装置および回転側制御装置との通信手順を示すタイミングチャートである。
【図９】前記回転式表示装置において、固定側制御装置と回転側制御装置との間で一線式相互通信される１周期分の制御信号の通信データの詳細例（一例）を示す。
【図１０】前記回転式表示装置における固定側制御装置の制御動作を示すフローチャートである。
【図１１】前記回転式表示装置における回転側制御装置の制御動作を示すフローチャートである。
【発明を実施するための形態】
【００３２】
以下、添付図面を参照しながら本発明の好適な実施形態を説明する。但し、本発明は以下の実施形態に限定されるものでなく、本発明の要旨を逸脱しない範囲において種々設計変更することができる。
【００３３】
本実施形態においては、遊技機であるパチンコ機に変動する図柄等を表示するために搭載される、スリップリングを使った回転式表示装置に、信号伝送装置を適用した例を説明する。本実施形態では、スリップリングを介した信号伝送のエラー（通信エラー）を検出し、このエラーに基づいて信号伝送の劣化の度合いを判定し、劣化の度合いが予め定めた度合いを超える場合に、送信側より送信する信号の周波数特性を、受信側でエラーが検出され難くなるように変調する。
【００３４】
［パチンコ機１の概略構成］
まず、パチンコ機１の概略構成について説明する。図１は、パチンコ機１の概略正面図である。図１に示すように、パチンコ機１は、遊技球が打ち出される遊技盤２と、遊技盤２を囲む枠部材３とを備えている。枠部材３は、遊技盤２の表面側に遊技盤２と所定の間隔を隔てて平行に配置された透明なガラス板（不図示）を支持するもので、遊技盤２に対して開閉可能に構成されている。
【００３５】
枠部材３に支持されたガラス板と遊技盤２との間には、遊技球が移動する遊技領域が形成されている。遊技者がハンドル４を握って時計方向へ回転させると、皿５に溜められた遊技球がハンドル４の回転角度に応じた打球力で発射装置（不図示）から発射される。発射された遊技球は、ガイド部材（不図示）によって遊技領域の上部位置へ案内され、遊技領域に配置された遊技釘（不図示）や風車（不図示）などに接触することでその移動方向を変化させながら遊技盤２の表面に沿って落下する。遊技領域には、入賞や抽選に関する役物として、始動口（不図示）や入賞口（不図示）、ゲート（不図示）などが複数設けられている。始動口や入賞口に遊技球が入賞すると、入賞した場所に応じた個数の賞球（遊技球）が皿５に払い出される。なお、皿５に溜まった遊技球は、皿５の下方に配置された箱（不図示）へと落下させることができるようになっている。
【００３６】
例えば、始動口に遊技球が入賞すると、大当たり抽選などの、通常演出とは異なる特別演出が実行される。入賞口には大入賞口と小入賞口とがあり、大入賞口は大当たり抽選の結果に応じて開放される。大当たり抽選に当選して大入賞口が開放されることで、遊技者が多量の賞球を得ることが可能な大当たり遊技を楽しむことができる。
【００３７】
遊技領域の外側には、演出実行手段として機能する表示画面６を初めとして、遊技盤およびその周囲を光にて装飾する装飾ランプ類（不図示）、可動役物（不図示）、スピーカ（不図示）などが設けられている。
【００３８】
表示画面６には、例えば、大当たり抽選の結果を報知するための装飾図柄、予告演出を行うキャラクタやアイテム、大当たり抽選が保留されていることを示す保留表示画像などの各種表示オブジェクトが表示される。そして、詳細については後述するが、本実施形態のパチンコ機１においては、回転式表示装置１０を備えており、表示画面６が回転可能に構成されている。
【００３９】
装飾ランプ類は、遊技者による遊技の進行に応じて発光したり、点灯または点滅のパターンを変更させたり、発光色を変更したりして、光による演出を行う。可動役物は、例えば内蔵された発光素子を発光させながら回転したり移動したりすることによって可動役物自体の動きと光による演出を行う。スピーカは、楽曲や音声、効果音などを出力して音による演出を行う。
【００４０】
皿５と近接する位置には、連打スイッチ７などの演出用操作部を備えた演出操作装置８が設けられている。演出操作装置８は、演出用操作部を遊技者が操作して操作情報を入力するためのものである。図には示されていないが、パチンコ機１では、演出操作装置８の操作を促す演出画像が表示画面６に表示される。演出画像に従って、遊技者が演出操作装置８を操作することで、表示画面６に表示されている演出画像の切り替えなどが行われる。
【００４１】
［回転式表示装置１０の構造的構成］
以下、図２〜図５を参照しつつ、回転式表示装置１０の構造的構成について詳細に説明する。図２は、前記回転式表示装置１０の外観斜視図である。図３の（ａ）は、前記回転式表示装置１０の平面図であり、（ｂ）はその側面図、（ｃ）はその正面図である。図４の（ａ）は、前記回転式表示装置１０を表示画面側から見た分解斜視図であり、（ｂ）は、前記回転式表示装置１０を裏面側から見た分解斜視図である。図５の（ａ）は、前記回転式表示装置１０に搭載されているスリップリング２００の外観斜視図であり、（ｂ）はその要部断面図である。
【００４２】
回転式表示装置１０は、図２または図３に示すように、パチンコ機１に固定される固定部１００と、固定部１００に対して回転自在に設けられた回転部３００と、固定部１００と回転部３００とを、電気的な接続をとりながら機械的に連結するスリップリング２００とを備えている。
【００４３】
固定部１００は、回転部３００を回転駆動するモータ１５０と、パチンコ機１に回転式表示装置１０を固定するための固定プレート１３と、後述する画像送信器１１０や固定側制御装置１３０（図６参照）などが搭載された固定側回路部（不図示）とを備えている。
【００４４】
回転部３００は、表示画面６を有するＬＣＤ３２０と、後述する画像受信器３１０や回転側制御装置３３０などが搭載された回転側回路部（不図示）とを備えている。
【００４５】
スリップリング２００は、図４、図５に示すように、中央に形成された軸孔２０５の中心を回動中心として回動自在に係合された回転基板２０１と固定基板２０２を備えている。固定基板２０２は、固定部１００の固定プレート１３に固定され、回転基板２０１は、回転部３００のＬＣＤ３２０の裏面に固定される。
【００４６】
スリップリング２００の軸孔２０５には、固定プレート１３を介してモータ１５０の駆動軸１５０ａが挿通され、駆動軸１５０ａの先端部はＬＣＤ３２０の裏面に固定される。これにより、モータ１５０の駆動にてＬＣＤ３２０が回転し、ＬＣＤ３２０に固定された回転基板２０１がＬＣＤ３２０に連れ回りする。
【００４７】
回転基板２０１における固定基板２０２と対向する内側の面には、軸孔２０５の中心を中心とするリング電極２０６が複数同心円状に形成されている。一方、固定基板２０２における回転基板２０１と対向する内側の面には、回転基板２０１に形成されたリング電極に対応してブラシ電極２０７が形成されている。ブラシ電極２０７は、自身の有するバネ性にてリング電極２０６に常時接触しており、回転基板２０１が固定基板２０２に対して回転すると、ブラシ電極２０がリング電極２０６の表面を摺動する。これらリング電極２０６とブラシ電極２０７とにより、スリップリング２００における摺動接点が構成されている。
【００４８】
固定基板２０２における外側の面には、ブラシ電極２０７と導通した固定側コネクタ２０４が設けられている。固定側コネクタ２０４には、固定部１００に設けられた固定側回路部が接続される。同様に、回転基板２０１における外側の面には、リング電極２０６と導通した回転側コネクタ２０３が設けられている。回転側コネクタ２０３には、回転部３００に設けられた回転側回路部が接続される。なお、本実施形態では、スリップリングとしてディスク型を例示したが、これに限るものではなく、ドラム型など、他のタイプを用いてもよい。
【００４９】
［回転式表示装置１０の電気的構成］
図６は、前記回転式表示装置１０の電気的構成を示すブロック図である。図６に示すように、固定部１００は、画像送信器１１０と、固定側制御装置１３０と、モータドライバ（ＭＤ）１４０と、モータ１５０と、電源部１６０とを有する。画像送信器１１０、固定側制御装置１３０、モータドライバ（ＭＤ）１４０および電源部１６０が、前述した固定側回路部に搭載されている。
【００５０】
画像送信器１１０は、パチンコ機から送信される画像信号を、スリップリング２００を介して回転部３００へと送信するものである。画像送信器１１０は、シリアライザ（ＳＥＲ）１１１とプリエンファシス回路（変調手段）１１２とを備えている。シリアライザ１１１は、画像信号を回転部３００への伝送用にシリアル化して送信するものである。
【００５１】
一方、プリエンファシス回路１１２は、シリアライザ１１１から送信される信号を、伝送路の高周波数における減衰特性に応じて増幅させる周波数特性改善変調を行うものである。
【００５２】
図７の（ａ）〜（ｃ）は、プリエンファシス回路による周波数特性改善変調を模式的に示す説明図である。伝送路のインピーダンスは、伝送路の長さによって変化し、伝送路が長くなると高くなる。インピーダンスが高くなると、信号は流れにくくなり、送信器より送信した信号の波形が変化する。（ａ）に示すように、波形が変化しても、受信器で受信できる程度の変化であれば問題ない。しかしながら、（ｂ）に示すように、受信できない程度にまで波形が変化すると、通信エラーとなる。
【００５３】
そこで、従来から、ＬＣＤなどの電子機器では、送信側にプリエンファシス回路を搭載させて、伝送路の長さによって決まる伝送路固有の高周波数における減衰特性に応じて、送信する信号を増幅する周波数特性改善変調が行われている。（ｃ）に示すように、送信側で周波数特性改善変調が行われることで、受信器で受け取る信号の波形が改善され、伝送路において高周波数における減衰が生じても受信可能となる。
【００５４】
再び図６に戻り、上記プリエンファシス回路１１２は、ＯＮ/ＯＦＦの切り替えが可能に設けられており、ＯＦＦ時は、シリアライザ１１１から送信される伝送信号をスルーさせて、そのままスリップリング２００へと送る。
【００５５】
固定側制御装置１３０は、ＣＰＵよりなり、固定部１００の各部を制御するものである。また、固定側制御装置１３０は、制御信号送信部１３１とエラー判定部１３２とを備えている。
【００５６】
制御信号送信部１３１は、回転部３００の備えるＬＣＤ３２０に対するＬＣＤの制御信号およびその他の制御信号を、スリップリング２００を介して回転部３００へと送信するものである。ＬＣＤ３２０の制御信号は、例えば、ＬＣＤ３２０に搭載されたバックライト（不図示）の電流制御信号やＬＣＤ３２０のＯＮ/ＯＦＦ信号などを含む。その他の制御信号としては、例えば、回転部３００に搭載されているＬＥＤ（不図示）の制御信号などを含む。そして、本実施の形態では、制御信号送信部１３１は、受信側で、受信した信号のエラー、つまり通信エラーの検出が可能となるように、ＳＵＭなどの誤り検出符号を制御信号に付加して送信する。本発明において、信号送信手段は、制御信号送信部１３１と、上述した画像送信器１１０とで構成される。
【００５７】
エラー判定部（劣化度合い判定手段）１３２は、回転部３００から送信（返信）される、固定部１００との間の通信エラーに関する情報を示す信号を受信して、スリップリング２００を介した信号伝送の劣化の度合いを判定して、プリエンファシス回路１１２のＯＮ／ＯＦＦを制御する。エラー判定部１３２は、信号伝送の劣化の度合いが予め定めている閾値未満の場合、プリエンファシス回路１１２をＯＮする。また、信号伝送の劣化の度合いが予め定めている閾値以上の場合、プリエンファシス回路１１２をＯＦＦする。
【００５８】
モータドライバ１４０は、回転部３００を回転駆動するモータ１５０を駆動するものである。電源部１６０は固定部１００の各部に電力を供給すると共に、スリップリング２００を介して回転部３００に電源を供給するものである。
【００５９】
回転部３００は、画像受信器３１０と、表示部であるＬＣＤ３２０と、回転側制御装置３３０と、電源部３４０とを有する。画像受信器３１０、回転側制御装置３３０および電源部３４０が、前述した回転側回路部に搭載されている。
【００６０】
画像受信器３１０は、固定部１００より送信される画像信号を、スリップリング２００を介して受信するものである。画像受信器３１０は、デシリアライザ（ＤＥＳ）３１１を備えている。デシリアライザ３１１は、シリアル化された画像信号をパラレルに戻して、ＬＣＤ３２０へと送信するものである。
【００６１】
ＬＣＤ３２０は、変動する図柄等を表示する表示部であり、画像受信器３１０より画像信号を受信し、画像信号に応じた画像を表示する。
【００６２】
回転側制御装置３３０は、ＣＰＵよりなり、回転部３００の各部を制御するものである。回転側制御装置３３０は、固定部１００より送信されるＬＣＤの制御信号およびその他の制御信号を受信し、受信した制御信号に基づいて、ＬＣＤ３２０に搭載されたバックライト（不図示）やＬＣＤ３２０のＯＮ/ＯＦＦ、回転部３００に搭載されているＬＥＤ（不図示）を制御する。本発明において、信号受信手段は、回転側制御装置３３０と、上述した画像受信器３１０とで構成される。
【００６３】
また、回転側制御装置３３０は、エラー検出部（エラー検出手段）３３１を備えている。エラー検出部３３１は、固定部１００よりスリップリング２００を介して送信される伝送信号のエラー（通信エラー）を検出するものである。エラー検出部３３１は、固定部１００より受信した制御信号に付加されたＳＵＭなどの誤り検出符号を用いて通信エラーを検出して、固定部１００との通信エラーに関する情報を示す信号を固定部１００へと、スリップリング２００を介して送信する。
【００６４】
電源部３４０は、回転部３００の各部に電力を供給するものである。電源部３４０には、スリップリング２００を介して固定部１００の電源部１６０より電力が供給される。
【００６５】
また、図６には、図示していないが、固定部１００と回転部３００との間は、合計５本の信号線で接続されている。具体的には、画像送信器１１０と画像受信器３１０との間が、差動を取って画像信号を送信するための２本の信号線にて接続され、電源部１６０と電源部３４０との間が、ＧＮＤ線とＶＣＣ線の２本の信号線にて接続され、固定側制御装置１３０と回転側制御装置３３０との間が、制御信号を送信するための１本の信号線にて接続されている。固定側制御装置１３０と回転側制御装置３３０とは、１本の信号線を使って、一線式相互通信を行う。
【００６６】
図８は、パチンコ機１の制御装置３０と、回転式表示装置１０における固定側制御装置１３０および回転側制御装置３３０との通信手順を示すタイミングチャートである。
【００６７】
図８に示すように、本実施の形態では、パチンコ機１の制御装置３０から固定側制御装置１３０に対し、５００μｓｅｃ周期で制御信号が送信される。固定側制御装置１３０と回転側制御装置３３０とは、制御装置３０から次の制御信号が送信されてくるまでの時間（５００μｓｅｃ）内に、一線式相互通信を完了させる。
【００６８】
図９に、固定側制御装置１３０と回転側制御装置３３０との間で一線式相互通信される１周期分の制御信号の通信データの詳細例（一例）を示す。
【００６９】
図９に示すように、本実施の形態では、固定側制御装置１３０の制御信号送信部１３１は、回転側制御装置３３０に対し、制御信号として同じ制御データを１０回（一例）連続して送信する（制御データ(1)〜(10)）。制御信号送信部１３１は、このとき、受信側で通信エラーを検出できるように、制御データにＳＵＭなどの誤り検出符号を付加する。回転側制御装置３３０のエラー検出部３３１は、１０回連続して送信された同じ制御データ(1)〜(10)それぞれを、正しく受信できたかどうかを、誤り検出符号を用いて確認する。そして、エラー検出部３３１は、１０回中受信に成功した回数である通信成功数を計測し、通信成功数のデータを含む信号を、固定部１００との通信エラーに関する情報を示す信号として、固定側制御装置１３０に返信する。ここでは、スリップリング２００における回転部３００から固定部１００に向けた信号伝送における通信エラーを考慮して、通信成功数のデータを含む信号を３回（一例）送信する。
【００７０】
固定側制御装置１３０のエラー判定部１３２は、回転部３００より受信した信号より通信成功数を確認し、これに基づいてスリップリング２００を介した信号伝送の劣化の度合いを判定して、プリエンファシス回路１１２のＯＮ/ＯＦＦを決定する。
【００７１】
［回転式表示装置１０の制御動作］
図１０は、前記回転式表示装置１０における固定側制御装置１３０の制御動作を示すフローチャートである。図１１は、前記回転式表示装置１０における回転側制御装置３３０の制御動作を示すフローチャートである。
【００７２】
図１０に示すように、固定側制御装置１３０は、まず、周期タイマを初期化し（Ｓ１）、通信成功数の閾値（S_VAL）をセットする（Ｓ２）。通信成功数の閾値（S_VAL）とは、固定部１００のエラー判定部１３２が、回転部３００より送信される通信エラーに関する情報に基づいて、スリップリング２００を介した信号伝送の劣化の度合いを判定するための閾値である。なお、図１０のフローチャートにおいて、特に断らない限り、動作主体は、固定側制御装置１３０である。
【００７３】
次に、周期タイマが５００μｓｅｃ（１周期）経過したかどうかを判断し（Ｓ３）、経過していると判断すると、周期タイマを再度初期化し（Ｓ４）、Ｓ５に進む。一方、Ｓ３において、経過していないと判断すると、経過したと判断するまで、Ｓ３の処理を繰り返す。
【００７４】
Ｓ５では、回転部３００に制御データ(1)〜(10)として連続１０回送信する制御データをメモリにセットする。次に、メモリにセットされた制御データを、回転部３００へと１０回連続して送信する（Ｓ６）。
【００７５】
次に、受信タイムアウトタイマを初期化し（Ｓ７）、Ｓ８に進む。受信タイムアウトタイマとは、制御データを１０回連続送信した後、回転部３００から、固定部１００との通信エラーに関する情報を示す信号として、通信成功数のデータを含む信号が返信されてくるのを待つ期間を定めるものである。
【００７６】
Ｓ８では、回転部３００から制御信号を受信したかどうかを判断し、受信していると判断すると、Ｓ９に進む。一方、受信していないと判断すると、Ｓ１２に進む。
【００７７】
Ｓ９では、受信した制御信号から、通信成功数（S_CNT）のデータを取得する。次に、通信成功数（S_CNT）が、Ｓ２で設定した通信成功数の閾値（S_VAL）未満であるか否かを判断する（Ｓ１０）。ここで、未満であると判断すると、プリエンファシス回路１１２をＯＦＦとし（Ｓ１１）、未満でないと判断すると、プリエンファシス回路１１２をＯＮする（Ｓ１３）。
【００７８】
Ｓ１２では、受信タイムアウトタイマがタイムアウトしていないかどうかを判断し、タイムアウトしていない場合はＳ８に戻り、タイムアウトしている場合は、Ｓ１３に進み、プリエンファシス回路１１２をＯＮする。
【００７９】
Ｓ１１あるいはＳ１３にて、プリエンファシス回路１１２のＯＮ/ＯＦＦを設定すると、Ｓ３に戻り、次周期について同様の処理を行う。
【００８０】
一方、回転側制御装置３３０は、図１１に示すように、まず、通信成功カウンタを初期化し（Ｓ２１）、Ｓ２２に進む。通信成功数カウンタとは、固定部１００からスリップリング２００を介して１０回連続して送信されてくる制御信号のうち、通信が成功した回数を計測するためのカウンタである。なお、図１１のフローチャートにおいて、特に断らない限り、動作主体は、回転側制御装置３３０である。
【００８１】
Ｓ２２では、固定部１００から制御信号を受信したかどうかを判断し、受信していると判断すると、Ｓ２３に進む。一方、受信していないと判断すると、Ｓ２９に進む。
【００８２】
Ｓ２３では、Ｓ２１で通信成功カウンタを初期化してから最初の１バイト目の受信であるかどうかを判断する。ここで、最初の１バイト目であると判断すると、受信タイムアウトタイマを初期化して計測を開始して、Ｓ２５に進む。一方、最初の１バイト目ではないと判断すると、受信タイムアウトタイマの計測は開始されているとして、Ｓ２４をスキップしてＳ２５に進む。受信タイムアウトタイマとは、固定部１００から送信される１０回連続して送信されてくる制御信号の受信を待つ期間を定めるためのものであり、１０回分の制御信号を全て受信し終えたあたりでタイムアウトするよう設計されている。
【００８３】
Ｓ２５では、固定部１００から連続して受信する制御信号のうち、受信中の何番目かの制御データの全て（全バイト）を受信したかどうかを判断する。ここで、受信していないと判断すると、受信したと判断するまでＳ２５を繰り返し、受信したと判断すると、Ｓ２６に進む。
【００８４】
Ｓ２６では、受信した制御信号に付されている誤り検出符号より、例えばＳＵＭ値を計算し、求めたＳＵＭ値に基づいて、正常な電文であるか否かを判断する（Ｓ２７）。ここで、正常な電文であると判断すると、Ｓ２８に進んで、通信成功カウンタのカウンタ値（S_CNT）を１ＵＰして、Ｓ２２に戻る。一方、正常な電文ではないと判断すると、Ｓ２８に入ることなく、Ｓ２２に戻る。
【００８５】
上記Ｓ２２、Ｓ２３、Ｓ２５〜Ｓ２７の処理は、１０回連続して制御信号が送信される本実施の形態では、最大１０回実施される。
【００８６】
Ｓ２２において、固定部１００から制御信号を受信していないと判断した場合に進むＳ２９では、受信タイムアウトタイマがタイムアウトしていないかどうかを判断する。ここで、タイムアウトしていないと判断すると、Ｓ２２に戻り、タイムアウトしていると判断すると、Ｓ３０に進む。固定部１００から１０回連続送信されてくる制御信号を全て受信している場合は、Ｓ２２において、制御信号を受信していないと判断されて、Ｓ２９に移行する。また、何らかの通信不具合によって、１０回送信される制御信号のうちの何番目かの制御信号を受信できなかった場合は、一旦、Ｓ２９に入るが、受信タイムアウトタイマがタイプアップしていないため、Ｓ２２に戻ることとなる。
【００８７】
Ｓ３０では、通信成功カウンタのカウンタ値（S_CNT）である通信成功数をメモリにセットし、次に、メモリにセットされた通信成功数のデータを固定部１００へ３回連続して送信する（Ｓ３１）。その後、Ｓ２１に戻り、通信成功数を計測する通信成功カウンタを初期化し（Ｓ２１）、次周期について同様の処理を行う。
【００８８】
以上のように、本実施の形態のパチンコ機１においては、回転式表示装置１０を備え、回転式表示装置１０においては、スリップリング２００を介して固定部１００より回転部３００に伝送される信号の通信エラーをエラー検出部３３１が検出し、エラー検出の結果に基づいてエラー判定部１３２がスリップリング２００を介して信号伝送の劣化の度合いを判定し、劣化度合いに応じて、画像送信器１１０に備えられた、送信する信号の周波数特性を受信側においてエラーが検出され難くなるように変調するプリエンファシス回路１１２をＯＮする。
【００８９】
これにより、スリップリング２００の摺動接点が摩耗して接触抵抗が変化し、これによる伝送路のインピーダンスの変化にて信号受信手段で受けとる信号の波形が劣化しても、これを改善することができる。したがって、スリップリング２００の摺動接点の摩耗による通信エラーの発生を抑制して、高周波信号を長く安定して伝送することが可能となる。
【００９０】
その結果、回転式表示装置１０では、フルカラー対応のＬＣＤ３２０を回転させる構成であるが、ちらつきや画像欠けなどの表示欠陥を招来することなく、高品質の表示が可能となる。これにより、遊技者に興味を持たせ続けるような従来にない斬新な演出を行うことができる回転式表示装置を提供することができる。
【００９１】
なお、本実施の形態では、固定部に画像送信器１１０を設けたが、画像送信器１１０を回転部に設けて、固定部に画像受信器３１０を設ける構成としてもよい。回転部にカメラ等が搭載され、撮影した画像を固定部へと送信する構成などにも利用できる。
【００９２】
また、エラー検出部３３１は、固定側制御装置１３０の制御信号送信部１３１から送信される制御信号のエラーを検出していたが、画像送信器１１０が画像信号に誤り検出符号を付して送信し、画像受信器３１０のデシリアライザ３１１にてパラレルに戻された画像信号のエラーを検出する構成としてもよい。
【００９３】
但し、本実施の形態のように、制御信号を用いる方が、正常な電文が全て受信できているか早く判断させることができるといった利点がある。
【００９４】
また、本実施の形態では、プリエンファシス回路１１２をＯＮ/ＯＦＦ制御する構成を例示したが、スリップリング２００を介して信号伝送の劣化の度合いに応じて、プリエンファシス回路１１２の調整能力を段階的に高めるなどの構成としてもよい。
【００９５】
また、エラー検出部３３１は、通信成功数を固定部１００側に送信して、固定部１００側のエラー判定部１３２が劣化度合いを判定したが、回転部３００にエラー判定部１３２を備える構成としてもよい。
【００９６】
本発明は上述した実施の形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００９７】
スロットマシンやポーカーゲーム機、麻雀ゲーム機、トランプゲーム機等の遊技機に好適に利用できる。
【符号の説明】
【００９８】
１  パチンコ機（遊技機）
２  遊技盤
３  枠部材
４  ハンドル
６  表示画面
８  演出操作装置
１０  回転式表示装置
１３  固定プレート
２０  ブラシ電極
３０  制御装置
１００  固定部
１１０  画像送信器（信号送信手段）
１１１  シリアライザ
１１２  プリエンファシス回路（調整手段）
１３０  固定側制御装置
１３１  制御信号送信部（信号送信手段）
１３２  エラー判定部（劣化度合い判定部）
１４０  モータドライバ
１５０  モータ
１６０  電源部
２００  スリップリング
２０１  回転基板
２０２  固定基板
２０３  回転側コネクタ
２０４  固定側コネクタ
２０５  軸孔
２０６  リング電極
２０７  ブラシ電極
３００  回転部
３１０  画像受信器
３１１  デシリアライザ
３２０  ＬＣＤ（表示部）
３３０  回転側制御装置
３３１  エラー検出部（エラー検出手段）
３４０  電源部
【図１】
2015104545.tif 000003
【図２】
2015104545.tif 000004
【図３】
2015104545.tif 000005
【図４】
2015104545.tif 000006
【図５】
2015104545.tif 000007
【図６】
2015104545.tif 000008
【図７】
2015104545.tif 000009
【図８】
2015104545.tif 000010
【図９】
2015104545.tif 000011
【図１０】
2015104545.tif 000012
【図１１】
2015104545.tif 000013